(57)【要約】【課題】印刷物の受注に際し、発注者の入力作業をより容易にするための技術を提供すること。【解決手段】発注端末は、情報処理装置からの指示に従って、画面９００を表示する。画面９００の表示欄９１０には、発注端末が設置される店舗に対して予め設定された印刷物の仕様が表示される。画面９００の表示欄９３０には、発注端末が設置される店舗に対して予め設定された配布エリアが表示される。配布エリアは複数の区域を含む。各区域の配布方法として、区域ごとに適した方法が設定される。【選択図】図１２
2020030763.tif 000002
【特許請求の範囲】
【請求項１】
コンピュータによって実行される印刷物の受注方法であって、
前記コンピュータが、
端末から、ユーザを特定するユーザ情報を受信するステップと、
前記ユーザ情報を用いて、当該ユーザ情報に関連付けられた配達対象領域を取得するステップと、
前記端末に向けて、取得された前記配達対象領域を送信するステップと、を備える、印刷物の受注方法。
【請求項２】
前記コンピュータが、
前記配達対象領域の送信の後、前記端末から、印刷物の配達領域の指定を受信するステップと、
前記端末から指定された前記配達領域を含む発注情報を、印刷物の配達を管理する装置へ送信するステップと、をさらに備える、請求項１に記載の印刷物の受注方法。
【請求項３】
前記コンピュータは、前記端末から指定された前記配達領域に対応する印刷物の配達方法を指定し、
前記発注情報は、前記コンピュータによって指定された、印刷物の配達方法を含む、請求項２に記載の印刷物の受注方法。
【請求項４】
前記配達領域は、１つ以上の配達区域を含み、
前記配達方法は、配達区域ごとに指定される、請求項３に記載の印刷物の受注方法。
【請求項５】
前記コンピュータが、
前記端末から、配達についての属性の指定を受信するステップと、
前記ユーザ情報に関連付けられた配達対象領域を、指定された配達についての属性に従って更新するステップと、
前記端末に向けて、更新された配達対象領域を送信するステップと、をさらに備える、請求項１〜請求項４のいずれか１項に記載の印刷物の受注方法。
【請求項６】
前記配達についての属性は、配達の対象となる住民の属性を含む、請求項５に記載の印刷物の受注方法。
【請求項７】
前記コンピュータが、
前記ユーザ情報に関連付けられた、印刷物の最大発注部数を取得するステップと、
前記端末に向けて、取得された最大発注部数を送信するステップと、をさらに備える、請求項１〜請求項６のいずれか１項に記載の印刷物の受注方法。
【請求項８】
通信インターフェースと、
前記通信インターフェースによるデータの送受信する制御するプロセッサとを備え、
前記通信インターフェースは、
端末から、ユーザを特定するユーザ情報を受信し、
前記プロセッサは、
前記ユーザ情報を用いて、当該ユーザ情報に関連付けられた配達対象領域を取得し、
前記端末に向けて、取得された前記配達対象領域を送信する、情報処理装置。
【請求項９】
コンピュータに印刷物の受注させるプログラムであって、
前記プログラムは、前記コンピュータに、
端末から、ユーザを特定するユーザ情報を受信するステップと、
前記ユーザ情報を用いて、当該ユーザ情報に関連付けられた配達対象領域を取得するステップと、
前記端末に向けて、取得された前記配達対象領域を送信するステップと、を実行させる、プログラム。
【発明の詳細な説明】
【技術分野】
【０００１】
本開示は、印刷物の受注方法に関し、より具体的には、コンピュータを利用した受注方法に関する。
【背景技術】
【０００２】
従来、情報処理装置を利用した物品の受注について、種々提案がなされている。たとえば、特開２００５−２３４９８５号公報（特許文献１）は、発注用端末を利用した物品の受注態様を開示している。当該受注態様では、商品のカタログやチラシに商品の情報をコード化した２次元バーコードが印刷される。当該２次元バーコードは、発注用端末で撮影される。当該発注用端末が当該２次元バーコードをコード解析する。これにより、発注側のユーザによる発注用端末への商品情報の入力作業が容易になる。
【先行技術文献】
【特許文献】
【０００３】
【特許文献１】特開２００５−２３４９８５号公報
【発明の概要】
【発明が解決しようとする課題】
【０００４】
しかしながら、ユーザが、印刷物の作成だけでなく、作成された印刷物の新聞の折込広告としての配布、および／または、作成された印刷物のポスティングによる配布まで発注しようとする場合、依然として、発注の際に煩雑な入力作業を必要とされる。
【０００５】
本開示は、上述の実情に鑑み考え出されたものであって、その目的は、印刷物の受注に際し、発注者の入力作業をより容易にするための技術を提供することである。
【課題を解決するための手段】
【０００６】
本開示のある局面に従うと、コンピュータによって実行される印刷物の受注方法であって、コンピュータが、端末から、ユーザを特定するユーザ情報を受信するステップと、ユーザ情報を用いて、当該ユーザ情報に関連付けられた配布対象領域を取得するステップと、端末に向けて、取得された配布対象領域を送信するステップと、を備える、印刷物の受注方法が提供される。
【０００７】
受注方法は、コンピュータが、配布対象領域の送信の後、端末から、印刷物の配布領域の指定を受信するステップと、端末から指定された配布領域を含む発注情報を、印刷物の配布を管理する装置へ送信するステップと、をさらに備えていてもよい。
【０００８】
受注方法では、コンピュータは、端末から指定された配布領域に対応する印刷物の配布方法を指定してもよい。発注情報は、コンピュータによって指定された、印刷物の配布方法を含んでいてもよい。
【０００９】
受注方法では、配布領域は、１つ以上の配布区域を含んでいてもよい。配布方法は、配布区域ごとに指定されてもよい。
【００１０】
受注方法は、コンピュータが、端末から、配布についての属性の指定を受信するステップと、ユーザ情報に関連付けられた配布対象領域を、指定された配布についての属性に従って更新するステップと、端末に向けて、更新された配布対象領域を送信するステップと、をさらに備えていてもよい。
【００１１】
配布についての属性は、配布の対象となる住民の属性を含んでいてもよい。
受注方法では、コンピュータが、ユーザ情報に関連付けられた、印刷物の最大発注部数を取得するステップと、端末に向けて、取得された最大発注部数を送信するステップと、をさらに備えていてもよい。
【００１２】
本開示の他の局面に従うと、通信インターフェイスと、通信インターフェイスによるデータの送受信する制御するプロセッサとを備え、通信インターフェイスは、端末から、ユーザを特定するユーザ情報を受信し、プロセッサは、ユーザ情報を用いて、当該ユーザ情報に関連付けられた配布対象領域を取得し、端末に向けて、取得された配布対象領域を送信する、情報処理装置が提供される。
【００１３】
本開示のさらに他の局面に従うと、コンピュータに印刷物の受注させるプログラムであって、プログラムは、コンピュータに、端末から、ユーザを特定するユーザ情報を受信するステップと、ユーザ情報を用いて、当該ユーザ情報に関連付けられた配布対象領域を取得するステップと、端末に向けて、取得された配布対象領域を送信するステップと、を実行させる、プログラムが提供される。
【発明の効果】
【００１４】
本開示によれば、コンピュータは、端末に向けて、端末のユーザに関連付けられた情報として取得された配布対象領域を送信する。これにより、端末のユーザは、当該配布対象領域を利用して発注内容を入力できる。
【図面の簡単な説明】
【００１５】
【図１】印刷物発注システムの構成を概略的に示す図である。
【図２】発注端末１０のハードウェア構成の一例を示す図である。
【図３】情報処理装置２０のハードウェア構成の一例を示す図である。
【図４】受注端末３０のハードウェア構成の一例を示す図である。
【図５】発注管理情報の内容の一例を示す図である。
【図６】情報処理装置２０から受注端末３０へ送信される、発注情報の内容の一例を示す図である。
【図７】店舗情報の一例を示す図である。
【図８】配布方法情報の一例を示す図である。
【図９】区域ごとの部数情報の一例を示す図である。
【図１０】最短配布完了日情報の一例を示す図である。
【図１１】発注端末１０からアクセスを受けたときに、情報処理装置２０のＣＰＵ２１によって生成される発注管理情報の一例を示す図である。
【図１２】店舗１００の発注端末１０において、情報処理装置２０にアクセスしたときに表示される初期画面の一例を示す図である。
【図１３】印刷物の発注を受け付けるために、情報処理装置２０のＣＰＵ２１によって実行される処理のフローチャートである。
【図１４】図１３のステップＳ１００の発注管理情報生成のサブルーチンのフローチャートである。
【図１５】図１３のステップＳ１０６の発注管理情報更新のサブルーチンのフローチャートである。
【図１６】発注端末１０において表示される確認画面の一例を示す図である。
【図１７】住民属性を利用した発注用の画面の一例を示す図である。
【図１８】住民属性の一例を示す図である。
【図１９】発注管理情報更新処理（図１５）の変形例のフローチャートである。
【図２０】図５の発注管理情報が更新された状態を示す図である。
【図２１】印刷物発注システムの構成の変形例を示す図である。
【発明を実施するための形態】
【００１６】
以下、図面を参照しつつ、印刷物発注システムの実施の形態について説明する。以下の説明では、同一の部品には同一の符号を付してある。それらの名称および機能も同じである。したがって、それらについての詳細な説明は繰り返さない。
【００１７】
［１．印刷物発注システムの構成］
図１は、印刷物発注システムの構成を概略的に示す図である。印刷物発注システムは、印刷物を発注する店舗１００と、印刷物の受注を代理する管理業者２００と、管理業者２００から印刷物の発注を受ける配布業者３００と、本部５００とを含む。
【００１８】
図１の印刷物発注システムは、一実施の形態では、管理業者２００によって管理および運営される。本部５００は、店舗１００を管理する情報を格納する。本部５００では、当該本部５００に設置された情報処理装置５０を利用して、本部５００のユーザが、店舗１００についてカスタマイズされた情報（たとえば、後述する図７の店舗情報）を、管理業者２００の情報処理装置２０に登録する。管理業者２００は、当該情報を店舗１００に関連付けて格納する。店舗１００は複数存在し得る。管理業者２００に格納される情報は、店舗１００ごとに異なっている部分を含んでいてもよいし、店舗１００間で共通する部分を含んでいてもよい。
【００１９】
なお、印刷物発注システムでは、本部５００に設けられた情報処理装置５０は、本部５００を構成する建造物に対して固定されている必要はない。情報処理装置５０は、本部５００に関連付けられたユーザが操作可能な状態にあれば、持ち運び可能に構成され、本部５００を構成する建造物外において操作されてもよい。同様に、本明細書における「に設けられ」という記述は、対象となる要素を構成する建造物に対して固定されている必要はない。
【００２０】
ユーザは、店舗１００に設置された発注端末１０を利用して、印刷物の発注のために管理業者２００にアクセスする。情報処理装置２０は、発注端末１０からアクセスを受けると、発注端末１０へ、店舗１００に関連付けられた情報（たとえば、デフォルト情報）を提示する。発注端末１０では、ユーザは、デフォルト情報を利用して、情報処理装置２０へ発注に必要な項目を指定する。発注端末は、指定された情報を情報処理装置２０へ送信する。
【００２１】
情報処理装置２０は、発注端末１０からの情報に従って発注情報を生成し、配布業者３００の受注端末３０へ当該発注情報を送信する。配布業者３００は、発注情報に従って印刷物を生成し、配布（たとえば、ポスティングまたは新聞折込み）する。
【００２２】
印刷物発注システムでは、印刷物の生成と印刷物の配布とが異なる業者によって実現されてもよい。この場合、情報処理装置２０は、発注情報に従って、印刷物の生成用の業者へ、印刷物の生成、および、生成された印刷物の配布業者への引き渡しを指示する。また、情報処理装置２０は、発注情報に従って、印刷物の配布用の業者へ、印刷物の配布を指示する。
【００２３】
［２．ハードウェア構成］
図２〜図４を参照して、印刷物発注システムを構成する各装置のハードウェア構成を説明する。なお、印刷物発注システムでは、本部５００に設置された情報処理装置５０のハードウェア構成は、管理業者２００に設置された情報処理装置２０と同様の構成とすることができる。本明細書では、情報処理装置５０の構成の詳細な説明は情報処理装置２０の構成の説明を援用する。
【００２４】
（発注端末１０）
図２は、発注端末１０のハードウェア構成の一例を示す図である。発注端末１０は、主たる構成要素として、プログラムを実行するＣＰＵ（Central  Processing  Unit）１１を備える。ここでいうプログラムとは、ＣＰＵ１１により直接実行可能なプログラムだけでなく、ソースプログラム形式のプログラム、圧縮処理されたプログラム、暗号化されたプログラム等を含み得る。
【００２５】
発注端末１０は、さらに、発注端末１０のユーザによる指示の入力を受けるマウス１２およびキーボード１３と、ＣＰＵ１１によるプログラムの実行により生成されたデータ、又はマウス１２若しくはキーボード１３を介して入力されたデータを揮発的に格納するＲＡＭ１４と、データを不揮発的に格納するハードディスク１５と、メディアドライバ１６と、通信インターフェイス１７と、モニタ１８と、を備える。発注端末１０における各構成要素は、相互にバスによって接続されている。
【００２６】
メディアドライバ１６には、ＣＤ−ＲＯＭ１９、ＵＳＢ（Universal  Serial  Bus）メモリー、その他の記録媒体が装着され得る。
【００２７】
通信インターフェイス１７は、情報処理装置２０の通信インターフェイス（後述する、通信インターフェイス２７）と通信可能である。通信インターフェイス１７は、有線ＬＡＮ（Local  Area  Network）、無線ＬＡＮ、Bluetooth（登録商標）インターフェイス等を含むが、これらに限られない。
【００２８】
（情報処理装置２０）
図３は、情報処理装置２０のハードウェア構成の一例を示す図である。情報処理装置２０は、主たる構成要素として、プログラムを実行するＣＰＵ２１を備える。ここでいうプログラムとは、ＣＰＵ２１により直接実行可能なプログラムだけでなく、ソースプログラム形式のプログラム、圧縮処理されたプログラム、暗号化されたプログラム等を含み得る。
【００２９】
情報処理装置２０は、さらに、情報処理装置２０のユーザによる指示の入力を受けるマウス２２およびキーボード２３と、ＣＰＵ２１によるプログラムの実行により生成されたデータ、又はマウス２２若しくはキーボード２３を介して入力されたデータを揮発的に格納するＲＡＭ２４と、データを不揮発的に格納するハードディスク２５と、メディアドライバ２６と、通信インターフェイス２７と、モニタ２８と、を備える。情報処理装置２０における各構成要素は、相互にバスによって接続されている。
【００３０】
メディアドライバ２６には、ＣＤ−ＲＯＭ２９、ＵＳＢメモリー、その他の記録媒体が装着され得る。
【００３１】
通信インターフェイス２７は、通信インターフェイス１７、および、受注端末３０の通信インターフェイス（後述する、通信インターフェイス３７）と通信可能である。通信インターフェイス２７は、有線ＬＡＮ、無線ＬＡＮ、Bluetooth（登録商標）インターフェイス等を含むが、これらに限られない。
【００３２】
（受注端末３０）
図４は、受注端末３０のハードウェア構成の一例を示す図である。受注端末３０は、主たる構成要素として、プログラムを実行するＣＰＵ３１を備える。ここでいうプログラムとは、ＣＰＵ３１により直接実行可能なプログラムだけでなく、ソースプログラム形式のプログラム、圧縮処理されたプログラム、暗号化されたプログラム等を含み得る。
【００３３】
受注端末３０は、さらに、受注端末３０のユーザによる指示の入力を受けるマウス３２およびキーボード３３と、ＣＰＵ３１によるプログラムの実行により生成されたデータ、又はマウス３２若しくはキーボード３３を介して入力されたデータを揮発的に格納するＲＡＭ３４と、データを不揮発的に格納するハードディスク３５と、メディアドライバ３６と、通信インターフェイス３７と、モニタ３８と、を備える。受注端末３０における各構成要素は、相互にバスによって接続されている。
【００３４】
メディアドライバ３６には、ＣＤ−ＲＯＭ３９、ＵＳＢメモリー、その他の記録媒体が装着され得る。通信インターフェイス３７は、通信インターフェイス２７と通信可能である。通信インターフェイス３７は、有線ＬＡＮ、無線ＬＡＮ、Bluetooth（登録商標）インターフェイス等を含むが、これらに限られない。
【００３５】
［３．発注管理情報］
図５は、発注管理情報の内容の一例を示す図である。発注管理情報は、発注情報の生成のために情報処理装置２０において管理される情報である。
【００３６】
図５に示されるように、発注管理情報は、店舗名と、仕様と、配布エリアと、配布部数と、配布方法と、配布完了日と、最大発注部数と、最短配布完了日と、画像ファイルとを含む。
【００３７】
店舗名は、発注元の一例である店舗（図１中の店舗１００）を特定する。店舗名は、発注端末１０のユーザを特定する情報の一例である。図５の例では、店舗名として、或る企業の「Ａ駅前店」が特定される。
【００３８】
仕様は、印刷物の印刷の仕様を特定する。図５の例では、仕様として、Ａ４サイズの、コート紙９０ｋｇという紙種の、カラーの両面印刷が特定される。
【００３９】
配布エリアは、印刷物の配布の対象となるエリアを特定する。図５の例では、配布エリアとして、「大阪府Ａ市Ｂ町１丁目」「大阪府Ａ市Ｂ町２丁目」および「大阪府Ａ市Ｂ町３丁目」の３つの区域が特定される。
【００４０】
配布部数は、印刷物が生成および配布される部数を特定する。図５の例では、配布部数として「３００００」部が特定される。
【００４１】
配布方法は、印刷物の配布方法を特定する。図５の例では、配布方法として、「大阪府Ａ市Ｂ町１丁目」および「大阪府Ａ市Ｂ町２丁目」に対して「ポスティング」が特定され、「大阪府Ａ市Ｂ町３丁目」に対して「新聞折り込み」が特定される。
【００４２】
配布完了日は、印刷物の配布完了日についてのユーザの希望を特定する。図５の例では、配布完了日として、２０１８年７月１２日が特定される。
【００４３】
最大発注部数は、ユーザに許容される最大の発注部数を特定する。図５の例では、最大発注部数として、３００００部が特定される。
【００４４】
最短配布完了日は、ユーザに許容される最短の配布日を特定する。図５の例では、最短配布完了日として、２０１８年７月１１日が特定される。
【００４５】
画像ファイルは、印刷物の全体または一部を規定する画像を特定する。図５の例では、画像ファイルとして、ファイル名「００１．ｐｄｆ」を有するファイルが特定される。
【００４６】
一例では、発注管理情報は、情報処理装置２０内の記憶装置に格納される。発注管理情報は、ＣＰＵ２１がアクセス可能な記憶装置であれば、情報処理装置２０外の記憶装置に格納されていてもよい。
【００４７】
［４．発注情報］
図６は、情報処理装置２０から受注端末３０へ送信される、発注情報の内容の一例を示す図である。図６に示されるように、発注情報は、図５の発注管理情報のうち、最大発注部数および最短配布完了日以外の項目によって構成される。
【００４８】
一例では、発注情報は、情報処理装置２０内の記憶装置に格納される。発注管理情報は、ＣＰＵ２１がアクセス可能な記憶装置であれば、情報処理装置２０外の記憶装置に格納されていてもよい。
【００４９】
［５．発注情報を生成するために利用される情報］
以下、図７〜図１０のそれぞれを参照して、発注情報を生成するために情報処理装置２０において利用される情報を説明する。
【００５０】
（店舗情報）
図７は、店舗情報の一例を示す図である。店舗情報は、印刷物発注システムにおいて発注元になり得る各店舗の情報を表わす。図７に示されるように、店舗情報では、店舗名、標準仕様、住所、および、標準配布エリアが互いに関連付けられる。店舗情報は、たとえば、本部５００の情報処理装置５０から管理業者２００の情報処理装置２０へ事前に送信される。なお、管理業者２００のユーザと本部５００のユーザとの間の事前の協議における決定事項に従って、本部５００のユーザが情報処理装置２０に店舗情報を登録してもよい。
【００５１】
たとえば、店舗名「Ａ駅前」の店舗は、標準仕様として、Ａ４サイズの、コート紙９０ｋｇという紙種の、カラーの両面印刷が登録されている。住所として、当該店舗の住所（大阪府Ａ市Ｂ町２丁目３番４号）が登録されている。標準配布エリアとして、「大阪府Ａ市Ｂ町１丁目」「大阪府Ａ市Ｂ町２丁目」および「大阪府Ａ市Ｂ町３丁目」の３つの区域が登録されている。
【００５２】
一例では、印刷物発注システムの管理者は、店舗を管理する者との間で、当該店舗についての、標準仕様および標準配布エリアを取り決め、これらを、店舗自体の情報（店舗名および住所）とともに、店舗情報登録する。
【００５３】
一例では、店舗情報は、情報処理装置２０内の記憶装置に格納される。店舗情報は、ＣＰＵ２１がアクセス可能な記憶装置であれば、情報処理装置２０外の記憶装置に格納されていてもよい。
【００５４】
（配布方法情報）
図８は、配布方法情報の一例を示す図である。配布方法情報は、区域ごとの、印刷物の最適な配布方法を規定する。図８の例では、「大阪府Ａ市Ｂ町１丁目」および「大阪府Ａ市Ｂ町２丁目」に対して、配布方法「ポスティング」が規定される。「大阪府Ａ市Ｂ町３丁目」に対して、配布方法「新聞折込み」が規定される。
【００５５】
一例では、配布方法情報は、情報処理装置２０内の記憶装置に格納される。配布方法情報は、ＣＰＵ２１がアクセス可能な記憶装置であれば、情報処理装置２０外の記憶装置に格納されていてもよい。
【００５６】
（区域ごとの部数情報）
図９は、区域ごとの部数情報の一例を示す図である。当該情報は、区域ごとの標準的な配布部数を規定する。図９の例では、「大阪府Ａ市Ｂ町１丁目」に対して部数「１８０００」が規定される。
【００５７】
一例では、区域ごととの部数情報は、情報処理装置２０内の記憶装置に格納される。区域ごととの部数情報は、ＣＰＵ２１がアクセス可能な記憶装置であれば、情報処理装置２０外の記憶装置に格納されていてもよい。
【００５８】
（最短配布完了日情報）
図１０は、最短配布完了日情報の一例を示す図である。当該情報は、配布完了日として設定できる最短の日数を規定し、その値は印刷物の発注部数に応じて変動する。図１０の例では、３００００部以下の発注であれば、配布完了日として「５日」後が設定可能である。当該日数は、休日を除いた営業日のみを対象していてもよいし、休日を考慮しない日数を対象としていていもよい。
【００５９】
一例では、最短配布完了日情報は、情報処理装置２０内の記憶装置に格納される。最短配布完了日情報は、ＣＰＵ２１がアクセス可能な記憶装置であれば、情報処理装置２０外の記憶装置に格納されていてもよい。
【００６０】
［６．発注管理情報の初期状態］
図１１は、発注端末１０からアクセスを受けたときに、情報処理装置２０のＣＰＵ２１によって生成される発注管理情報の一例を示す図である。
【００６１】
図１１の仕様は、指定された店舗の標準仕様（図７）である。
図１１の配布エリアは、店舗の標準配布エリア（図７）である。
【００６２】
図１１の配布方法は、配布エリアを構成する各区域について設定された配布方法（図８）を含む。
【００６３】
図１１の最大発注部数は、区域ごとの部数情報（図９）で規定される部数のうち、図１１の配布エリアに含まれる区域の合計である。たとえば、店舗名「Ａ駅前」には、標準配布エリア（図７）として、「大阪府Ａ市Ｂ町１丁目」「大阪府Ａ市Ｂ町２丁目」および「大阪府Ａ市Ｂ町３丁目」が関連付けられている。「大阪府Ａ市Ｂ町１丁目」「大阪府Ａ市Ｂ町２丁目」および「大阪府Ａ市Ｂ町３丁目」のそれぞれには、標準的な部数として、「18000」「7000」および「5000」が関連付けられている。したがって、店舗名「Ａ駅前」の初期状態での最大発注部数は、「30000」である。
【００６４】
図１１の最短配布完了日は、現在の日付から、最大発注部数に応じて規定される日数が経過した後の日付である。図１０に従うと、「30000」部に対応する最短配布完了日数は「５」日である。したがって、最短配布完了日として、現在の日付から５日後の日付が設定される。
【００６５】
［７．発注画面の初期状態］
図１２は、店舗１００の発注端末１０において、情報処理装置２０にアクセスしたときに表示される初期画面の一例を示す図である。図１２の画面９００は、図１１の発注管理情報に従って表示される。以下、画面９００内の各項目の内容を説明する。
【００６６】
画面９００は、表示欄９１０，９２１，９２２，９３０，９４０，９５０，９６２と、ボタン９６１，９７０とを含む。
【００６７】
表示欄９１０は、指定された印刷物の仕様を表示する。表示欄９１０には、店舗１００の仕様（図１１の仕様）が表示される。表示欄９１０では、他の仕様を表わすプルダウンメニューが表示され、当該プルダウンメニューから他の仕様が指定されてもよい。
【００６８】
表示欄９２１，９２２は、発注元の店舗を指定するための欄である。表示欄９２１は、都道府県を指定し、表示欄９２２は、指定された都道府県内の店舗を指定する。印刷物発注システムでは、発注端末１０は、情報処理装置２０にアクセスしたときに、デフォルトで、当該発注端末１０が設置されている店舗１００を指定する。発注端末１０では、表示欄９２１，９２２を操作されることによって、発注元として指定される店舗が変更されてもよい。
【００６９】
表示欄９３０は、発注管理情報の配布エリアを表わす地図を示す。配布エリアは複数の区域を含んでいてもよい。表示欄９３０において、各区域は、各区域ごとに設定された配布方法ごとに異なる態様で表示されてもよい。
【００７０】
表示欄９４０は、印刷物の発注部数を指定するための欄である。表示欄９４０では、プルダウンメニューが表示される。発注端末１０のユーザは、当該プルダウンメニューから部数を選択することによって、発注部数を指定する。プルダウンメニューには、指定できる最大の発注部数として、発注管理情報の最大発注部数の値が表示される。
【００７１】
表示欄９５０は、配布完了希望日を入力するための欄である。表示欄９５０では、プルダウンメニューが表示される。発注端末１０のユーザは、当該プルダウンメニューから日付を選択することによって、配布完了希望日を指定する。プルダウンメニューに表示される最短の配布管理希望日は、発注管理情報の最短配布完了日である。
【００７２】
表示欄９６２は、印刷物を特定する画像のファイル名を表示する欄である。初期状態では、表示欄９６２には、ファイル名は表示されない。発注端末１０のＣＰＵ１１は、ボタン９６１が操作されると、画像ファイルを選択するためのプロセスを実行する。ＣＰＵ１１は、画像ファイルの選択が完了すると、表示欄９６２に、選択された画像ファイルのファイル名を表示する。
【００７３】
画面９００のボタン９７０は、画面９００内の情報を発注用の情報として指定するためのボタンである。
【００７４】
［８．処理の流れ］
図１３は、印刷物の発注を受け付けるために、情報処理装置２０のＣＰＵ２１によって実行される処理のフローチャートである。一例では、ＣＰＵ２１は、所与のプログラムを実行することによって、図１３の処理を実現させる。一例では、ＣＰＵ２１は、発注端末１０からアクセスを受けると、図１３の処理を開始する。
【００７５】
ステップＳ１００にて、ＣＰＵ２１は、発注端末１０に対応する店舗の情報を用いて、発注管理情報（図１１）を生成する。ステップＳ１００の詳細な内容は、図１４を参照して後述する。
【００７６】
ステップＳ１０２にて、ＣＰＵ２１は、発注端末１０へ、発注用情報を送信し、発注用の画面（図１２）の表示を指示する。発注用情報は、図１２の画面９００を表示するための情報であり、たとえば、図１１の発注管理情報の中の、仕様、配布エリア、最大発注部数、および、最短配布完了日を含む。
【００７７】
これにより、発注端末１０のＣＰＵ１１は、モニタ１８に、図１２の画面９００を表示する。ＣＰＵ１１は、画面９００に対して、マウス１２またはキーボード１３を用いた操作を受け付ける。ＣＰＵ１１は、受け付けた操作の内容を、発注内容または確認情報として情報処理装置２０へ送信する。確認情報は、図１２のボタン９７０が操作されることによって送信される。発注内容は、図１２のボタン９７０に対する操作以外の操作によって送信される。
【００７８】
ステップＳ１０４にて、ＣＰＵ２１は、発注端末１０から発注内容を受信したか否かを判断し、発注内容を受信したと判断するとステップＳ１０６へ制御を進め（ステップＳ１０４にてＹＥＳ）、そうではないと判断するとステップＳ１１０へ制御を進める（ステップＳ１０４にてＮＯ）。
【００７９】
ステップＳ１０６にて、ＣＰＵ２１は、発注端末１０から受信した発注内容に応じて発注管理情報を更新する。ステップＳ１０６の詳細な内容は、図１５を参照して後述する。
【００８０】
ステップＳ１０８にて、ＣＰＵ２１は、更新された発注管理情報に基づいて、発注端末１０へ、発注用情報を送信する。
【００８１】
ステップＳ１１０にて、ＣＰＵ２１は、発注端末１０から確認情報を受信したか否かを判断し、確認情報を受信したと判断するとステップＳ１１２へ制御を進め（ステップＳ１１０にてＹＥＳ）、そうでなければステップＳ１０４へ制御を戻す（ステップＳ１１０にてＮＯ）。
【００８２】
ステップＳ１１２にて、ＣＰＵ２１は、発注端末１０に、確認画面の表示を指示する。より具体的には、ＣＰＵ２１は、発注端末１０に、発注管理情報を送信するとともに、当該発注管理情報に基づく発注内容の表示を指示する。これに応じて、発注端末１０のＣＰＵ１１は、モニタ１８に確認画面を表示する。確認画面の内容は、図１６を参照して後述する。
【００８３】
ステップＳ１１４にて、ＣＰＵ２１は、発注端末１０から、発注内容を確定する情報を受信したか否かを判断する。ＣＰＵ２１は、発注内容を確定する情報を受信したと判断するまでステップＳ１１４で制御を留め（ステップＳ１１４にてＮＯ）、当該情報を受信したと判断するとステップＳ１１６へ制御を進める（ステップＳ１１４にてＹＥＳ）。
【００８４】
ステップＳ１１６にて、ＣＰＵ２１は、受注端末３０へ発注情報を送信して、図１３の処理を終了させる。
【００８５】
以上、図１３を参照して説明された処理では、ＣＰＵ２１は、発注端末１０のＣＰＵ１１に対して、画面の表示を指示した。なお、画面の表示は、発注端末１０が主導で実現されてもよい。たとえば、発注端末１０には、発注用アプリケーションがインストールされていてもよい。ＣＰＵ１１は、当該発注用アプリケーションを実行することにより、情報処理装置２０に対して画面表示用の情報を要求する。ＣＰＵ２１は、ＣＰＵ１１からの要求に応じて、発注端末１０へ画面表示用の情報を提供する。
【００８６】
（発注管理情報生成）
図１４は、図１３のステップＳ１００の発注管理情報生成のサブルーチンのフローチャートである。図１４の処理は、図１１の発注管理情報を生成するための処理である。
【００８７】
発注管理情報生成では、まず、ステップＳ２００にて、ＣＰＵ２１は、店舗名を読み出す。一例では、ステップＳ２００の制御は、情報処理装置２０へのアクセス元である発注端末１０に関連付けられた店舗名を特定することによって実現される。ＣＰＵ２１は、読み出した店舗名を、発注管理情報の店舗名として登録する。
【００８８】
ステップＳ２０２にて、ＣＰＵ２１は、店舗情報（図７）から、ステップＳ２００にて読み出された（特定された）店舗名に関連付けられた標準仕様を読み出し、読み出した標準仕様を発注管理情報の仕様として登録する。
【００８９】
ステップＳ２０４にて、ＣＰＵ２１は、店舗情報（図７）から、ステップＳ２００にて読み出された（特定された）店舗名に関連付けられた標準エリアを読み出し、読み出した標準仕様を発注管理情報の配布エリアとして登録する。
【００９０】
ステップＳ２０６にて、ＣＰＵ２１は、配布方法情報（図８）から、ステップＳ２０４にて読み出した標準エリアに含まれる各区域の配布方法を読み出し、読み出した配布方法を発注管理情報の配布方法として登録する。
【００９１】
ステップＳ２０８にて、ＣＰＵ２１は、区域ごとの部数情報（図９）から、ステップＳ２０４にて読み出した標準エリアに含まれる各区域の部数情報を読み出し、読み出された部数の合計を発注管理情報の最大発注部数として登録する。
【００９２】
ステップＳ２１０にて、ＣＰＵ２１は、最短配布完了日情報（図１０）から、ステップＳ２０８にて登録された最大発注部数に対応する最短配布完了日数を読み出し、読み出した日数と当日の日付とによって最短配布完了日を設定し、発注管理情報の最短配布完了日として登録する。
【００９３】
その後、ＣＰＵ２１は、図１３へ制御を戻す。
（発注管理情報更新）
図１５は、図１３のステップＳ１０６の発注管理情報更新のサブルーチンのフローチャートである。図１５の処理は、発注端末１０において入力された情報に従って発注管理情報を更新するための処理である。
【００９４】
発注管理情報更新処理では、まず、ステップＳ３００にて、ＣＰＵ２１は、発注端末１０から、発注内容として配布部数を指定する情報を受信したか否かを判断し、そうであればステップＳ３０２へ制御を進め（ステップＳ３００にてＹＥＳ）、そうでなければステップＳ３０４へ制御を進める（ステップＳ３００にてＮＯ）。
【００９５】
ステップＳ３０２にて、ＣＰＵ２１は、発注端末１０から送信された配布部数を用いて、発注管理情報の配布部数のデータを更新する。
【００９６】
ステップＳ３０４にて、ＣＰＵ２１は、発注端末１０から、発注内容として配布完了日を指定する情報を受信したか否かを判断し、そうであればステップＳ３０６へ制御を進め（ステップＳ３０４にてＹＥＳ）、そうでなければ図１３へ制御を戻す（ステップＳ３０４にてＮＯ）。
【００９７】
ステップＳ３０６にて、ＣＰＵ２１は、発注端末１０から送信された配布完了日を用いて、発注管理情報の配布完了日のデータを更新する。その後、ＣＰＵ２１は、図１３へ制御を戻す。
【００９８】
（発注内容確認画面）
図１６は、発注端末１０において表示される確認画面の一例を示す図である。一例では、発注端末１０のＣＰＵ１１は、ステップＳ１１２におけるＣＰＵ２１からの指示に従って、モニタ１８に確認画面を表示する。
【００９９】
図１６を参照して、確認画面１６００は、表示欄１６１０，１６２０，１６３０，１６４０，１６５０を含む。
【０１００】
表示欄１６１０は、印刷物の仕様を表示する。表示される仕様は、発注管理情報中の仕様に相当する。
【０１０１】
表示欄１６２０は、印刷物の配布エリアを表示する。表示される配布エリアは、発注管理情報中の配布エリアに相当する。
【０１０２】
表示欄１６３０は、印刷物の発注部数を表示する。表示される発注部数は、発注管理情報中の配布部数に相当する。
【０１０３】
表示欄１６４０は、配布完了日を表示する。表示される配布完了日は、発注管理情報中の配布完了日に相当する。
【０１０４】
表示欄１６５０は、印刷物の画像を特定する情報を表示する。表示される情報は、発注管理情報中の画像ファイル（のファイル名）に相当する。
【０１０５】
確認画面１６００は、ボタン１６６０，１６７０を含む。ボタン１６６０は、ユーザが発注内容の変更を希望するときに操作される。発注端末１０からボタン１６６０が操作されたことを通知されると、情報処理装置２０のＣＰＵ２１は、発注端末１０における表示を、図１２に示されたような、発注内容を編集するための画面に戻す。この場合、図１３の処理は、ステップＳ１１４からステップＳ１０４へと戻される。ボタン１６７０は、ユーザが発注内容の確定を希望するときに操作される。発注端末１０からボタン１６６０が操作されたことを通知されると、情報処理装置２０のＣＰＵ２１は、図１３の処理を、ステップＳ１１４からステップＳ１１６へ進める。
【０１０６】
以上、図１３〜図１６を参照して説明された処理によれば、情報処理装置２０は、予め設定された情報（図７〜図１０）を利用して、発注端末１０のユーザからの発注を受けることができる。すなわち、発注端末１０のユーザは、予め設定された情報を利用して、発注内容を入力することができる。
【０１０７】
［９．住民属性を利用した発注］
印刷物発注システムは、ユーザが各区域の住民属性を利用して発注内容を編集できるように変更され得る。このような印刷物発注システムの変形例を、図１７〜図２０を参照して説明する。
【０１０８】
（発注用の画面）
図１７は、住民属性を利用した発注用の画面の一例を示す図である。図１７に示された画面９００Ａは、図１２の画面９００と比較して、表示欄９８０をさらに含む。表示欄９８０は、印刷物の配布対象の区域を、各区域の住民属性を用いて設定するための情報を入力する欄である。
【０１０９】
（住民属性）
図１８は、住民属性の一例を示す図である。住民属性は、区域ごとの住民の属性を規定する。一例では、住民属性は、情報処理装置２０内の記憶装置に格納される。住民属性は、ＣＰＵ２１がアクセス可能な記憶装置であれば、情報処理装置２０外の記憶装置に格納されていてもよい。
【０１１０】
図１８では、以下の４つの属性が示され、各区域が各属性に該当するか否か（ＹＥＳ／ＮＯ）が示される。
【０１１１】
（属性１）６歳児を含む世帯が３０％以上
（属性２）１０年以上居住の世帯が２０％以上
（属性３）年収５００万円以上の世帯が１０％以上
（属性４）年収１０００万円以上の世帯が５％以上
図１８の例では、区域「大阪府Ａ市Ｂ町１丁目」は、属性１および属性２については該当せず、属性３および属性４には該当する。
【０１１２】
発注端末１０において、ユーザは、図１７の表示欄９８０から属性１〜属性４の中の１つ以上の属性を指定できる。発注端末１０のＣＰＵ１１は、指定された属性を発注内容として情報処理装置２０へ送信する。
【０１１３】
（発注管理情報の更新）
図１９は、発注管理情報更新処理（図１５）の変形例のフローチャートである。図１９の処理では、図１５の処理と比較して、ステップＳ３０８〜Ｓ３１２の制御をさらに備える。
【０１１４】
ステップＳ３０８にて、ＣＰＵ２１は、発注端末１０から送信された発注内容が住民属性の設定であるか否かを判断し、そうであると判断するとステップＳ３１０へ制御を進め（ステップＳ３０８にてＹＥＳ）、そうでなければ図１３へ制御を戻す。
【０１１５】
ステップＳ３１０にて、ＣＰＵ２１は、設定された住民属性に従って、発注管理情報の配布エリアを更新する。より具体的には、配布エリアに含まれる区域から、設定された住民属性を満たさない区域を削除する。配布エリアからの区域の削除について、図５、図１８、および図２０を参照してより具体的に説明する。
【０１１６】
図２０は、図５の発注管理情報が更新された状態を示す図である。より具体的には、図２０は、図１８の４つの属性の中の（属性３）が設定されることによって更新された状態を示す。
【０１１７】
図１８によれば、「大阪府Ａ市Ｂ町１丁目」「大阪府Ａ市Ｂ町２丁目」および「大阪府Ａ市Ｂ町３丁目」のうち、「大阪府Ａ市Ｂ町３丁目」は（属性３）に該当しない。これにより、発注端末１０のユーザが発注内容として（属性３）を設定したことによって、発注管理情報の配布エリアから「大阪府Ａ市Ｂ町３丁目」が削除される。
【０１１８】
図１９に戻って、ＣＰＵ２１は、ステップＳ３１２にて、発注管理情報の最大発注部数の値を、更新後の配布エリアに従って更新する。図２０の例では、最大発注部数は、区域属性（図９）における「大阪府Ａ市Ｂ町１丁目」と「大阪府Ａ市Ｂ町２丁目」の部数の和である２５０００へと変更されている。ステップＳ３１２の後、ＣＰＵ２１は、図１３へ制御を戻す。
【０１１９】
［１０．管理業者において印刷物の生成が行なわれるシステム構成］
上記において説明された印刷物発注システムでは、管理業者２００は、配布業者３００に対して、印刷物の生成と配布の双方を発注する。一方、管理業者２００は、印刷物を生成し、当該印刷物の配布のみを配布業者３００に発注してもよい。
【０１２０】
印刷物発注システムにおいて管理業者２００が配布業者３００に印刷物の配布のみを発注する場合、管理業者２００から配布業者３００へ送信される発注情報は、印刷物の生成に関する情報を含まなくてもよい。すなわち、図６を参照して説明された発注情報から、「仕様」および「画像ファイル」が削除され得る。管理業者２００のユーザは、生成された印刷物の配布業者３００への配送を手配する。
【０１２１】
［１１．印刷物の生成と配布が異なる業者へ発注されるシステム構成］
図２１は、印刷物発注システムの構成の変形例を示す図である。図２１に示されるように、印刷物発注システムは、印刷物の配布用の業者とは別に、印刷物の生成用の業者を含んでいてもよい。図２１の構成は、図１の構成と比較すると、印刷業者６００をさらに備える。
【０１２２】
印刷業者６００には、情報処理装置２０と通信可能な受注端末６０が設けられている。受注端末６０の構成は、たとえば、図４を参照して説明された受注端末３０の構成と同様とすることができる。
【０１２３】
図２１に示された印刷物発注システムでは、情報処理装置２０は、印刷物の生成用の発注情報を受注端末６０へ送信し、印刷物の配布用の発注情報を受注端末３０へ送信する。一実施の形態では、受注端末６０へ送信される発注情報は、図６の発注情報を構成する要素のうち少なくとも「仕様」と「画像ファイル」とを含む。
【０１２４】
受注端末６０へ送信される発注情報は、配布業者３００を特定する情報を含んでいてもよい。情報処理装置６０は、印刷物の生成が完了すると、配布業者３００を特定する情報を利用して、当該印刷物を配布業者３００へ発送するための処理を実行する。
【０１２５】
印刷業者６００において生成された印刷物は、管理業者２００または他の者を経由して配布業者３００へ発送されてもよい。この場合には、受注端末６０へ送信される発注情報は配布業者３００を特定する情報を含んでいなくてもよい。
【０１２６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２７】
１０  発注端末、１１，２１，３１  ＣＰＵ、１７，２７，３７  通信インターフェイス、１８，２８，３８  モニタ、２０  情報処理装置、３０，６０  受注端末、１００  店舗、２００  管理業者、３００  配布業者、５００  本部、６００  印刷業者、９００，９００Ａ  画面、９１０，９２１，９２２，９３０，９４０，９５０，９６２，９８０，１６１０，１６２０，１６３０，１６４０，１６５０  表示欄、９６１，９７０，１６６０，１６７０  ボタン、１６００  確認画面。
【図１】
2020030763.tif 000003
【図２】
2020030763.tif 000004
【図３】
2020030763.tif 000005
【図４】
2020030763.tif 000006
【図５】
2020030763.tif 000007
【図６】
2020030763.tif 000008
【図７】
2020030763.tif 000009
【図８】
2020030763.tif 000010
【図９】
2020030763.tif 000011
【図１０】
2020030763.tif 000012
【図１１】
2020030763.tif 000013
【図１２】
2020030763.tif 000014
【図１３】
2020030763.tif 000015
【図１４】
2020030763.tif 000016
【図１５】
2020030763.tif 000017
【図１６】
2020030763.tif 000018
【図１７】
2020030763.tif 000019
【図１８】
2020030763.tif 000020
【図１９】
2020030763.tif 000021
【図２０】
2020030763.tif 000022
【図２１】
2020030763.tif 000023